【手続補正書】
【提出日】平成15年8月4日(2003.8.4)
【手続補正１】
【補正対象書類名】明細書
【補正対象項目名】特許請求の範囲
【補正方法】変更
【補正の内容】
【特許請求の範囲】
【請求項１】
送信器と受信器の間の光ファイバを伝搬する光信号のオンライン再生方法であって、これらの信号は、特に伝搬波長とビットレートを特徴とするソリトンによって示されるビット列の形を有し、この方法は、
不測の損失を補償するために再生すべき前記光信号を増幅するステップと、
前記ファイバに結合された光カプラを介して再生すべき光信号の一部を採取するステップと、
前記採取された部分における前記ビット列からクロック信号を再生するステップと、
前記再生すべき光信号の同期変調を得るために、適切な移相差を通じて前記クロック信号を光変調装置に加えるステップと、
前記同期変調の後に、前記再生すべき光信号のソリトンのスペクトル濾過を行うステップとを含み、
前記ソリトンは複数ｍの伝搬波長を特徴とし、これらの伝搬波長は前記複数波長のそれぞれ最小と最大である末端値λ１とλｎを有するスペクトル帯域の中にあるステップと、
前記クロック信号再生が、τｇ（λｋ）ＺＲ＝ｋＴなどの、波長λ１とλｎの間に含まれる波長λｋから実行されること、及び
前記再生が、前記送信器と前記光変調器の間、または連続する二つの変調器の間の距離ＺＲで実行され、この距離ＺＲは、これと到達時間の差δτｇ＝τｇ（λｎ）−τｇ（λ１）との積が、ｋは整数であり、Ｔはビット時間（ＺＲはｋｍ、δτｇはｐｓ・ｋｍ−１で示す）であるとき、条件
［ｋＴ−Ｔ／４］＜δτｇＺＲ＜［ｋＴ＋Ｔ／４］
を満足するように選択されることを特徴とする光信号オンライン再生方法。
【請求項２】
前記距離ＺＲが、これと群時間の差δτｇ＝τｇ（λｎ）−τｇ（λ１）との積が、Ｎ＞４であるとき、条件
［ｋＴ−Ｔ／Ｎ］＜δτｇＺＲ＜［ｋＴ＋Ｔ／Ｎ］
を満足するように選択されることを特徴とする請求項１に記載の方法。
【請求項３】
送信器と受信器の間の光ファイバを伝搬する光信号のオンライン再生方法であって、これらの信号は、特に伝搬波長とビットレートを特徴とするソリトンによって示されるビット列の形を有し、この方法は、
不測の損失を補償するために再生すべき前記光信号を増幅するステップと、
前記ファイバに結合された光カプラを介して再生すべき光信号の一部を採取するステップと、
前記採取された部分における前記ビット列からクロック信号を再生するステップと、
前記再生すべき光信号の同期変調を得るために、適切な移相差を通じて前記クロック信号を光変調装置に加えるステップと、
前記同期変調の後に、前記再生すべき光信号のソリトンのスペクトル濾過を行うステップとを含み、
前記ソリトンは複数ｍの伝搬波長を特徴とし、これらの伝搬波長はこの複数の波長のそれぞれ最小と最大である末端値λ１とλｎを有するスペクトル帯域の中にある、波長λ１、・・・、λｎの中から選択され、
前記クロック信号の再生は、τｇ（λｋ）ＺＲ＝ｋＴなどの、波長λ１とλｎの間に含まれる波長λｋから実行され、
前記再生は、前記送信器と前記光変調器との間、または連続する二つの変調器の間の距離ＺＲで実施され、λｊ−λｊ−１＝Δλ、ｊ＞０、ｊは整数、さらに
【数１】
1997214469.tif 000001
であり、ただしＤ’０≠０の場合はλ０が分散ゼロの波長であり、Ｄ’＝０（Ｄ＝一定）の場合はΔλ＝Ｔｂｉｔ／ＺＲＤであること
を特徴とする前記光信号オンライン再生方法。
【請求項４】
前記光ファイバが複数のファイバ部分区画を含み、各部分区画は一部分は色分散の長さと値を特徴とし、さらに前記ファイバ部分区画の分散管理を含むことを特徴とする請求項１から３のいずれか一項に記載の方法。
【請求項５】
特に伝搬波長とビットレートを特徴とするソリトンによって示されるビット列の形状を有する信号の光伝送システムであって、少なくとも一つの送信器と一つの受信器、並びにこれらの二つを接続する光ファイバを含み、さらにクロック再生回路と光変調器、並びにスペクトルフィルタを含む少なくとも一つの光再生装置をさらに含み、
前記送信器が複数の波長でソリトンを送信し、この波長は、この複数の波長のそれぞれ最小と最大である末端値λ１とλｎを有するスペクトル帯域の中にあること、及び
これらの様々な波長は、それぞれ様々な群時間τｇ（λ１）、τｇ（λｎ）に関連し、これらの群時間は群時間の差がδτｇ＝τｇ（λｎ）−τｇ（λ１）であることを特徴とし、
前記光再生装置は、前記送信器と前記光変調器との間、または連続する二つの送信器の間の距離ＺＲに配置され、この距離ＺＲは、これと群時間の差δτｇ＝τｇ（λｎ）−τｇ（λ１）との積が、ｋは整数、Ｔはビット時間（ＺＲはｋｍ、δτｇはｐｓ・ｋｍ−１で示す）であるとき、条件
［ｋＴ−Ｔ／４］＜δτｇＺＲ＜［ｋＴ＋Ｔ／４］
を満足するように選択されることを特徴とする前記信号の光伝送システム。
【請求項６】
前記距離ＺＲが、これと群時間の差δτｇ＝τｇ（λｎ）−τｇ（λ１）との積が、Ｎ＞４であるとき、条件
［ｋＴ−Ｔ／Ｎ］＜δτｇＺＲ＜［ｋＴ＋Ｔ／Ｎ］
を満足するように選択されることを特徴とする請求項５に記載のシステム。
【請求項７】
特に伝搬波長とビットレートを特徴とするソリトンによって示されるビット列の形状を有する信号の光伝送システムであって、少なくとも一つの送信器と一つの受信器、並びにこれらの二つを接続する光ファイバを含み、さらにクロック再生回路と光変調器、並びにスペクトルフィルタを含む少なくとも一つの光再生装置を含み、
前記送信器が複数の波長でソリトンを送信し、この波長は、この複数の波長のそれぞれ最小と最大である末端値λ１とλｎを有するスペクトル帯域の中にあること、及び
これらの様々な波長は、それぞれ様々な群時間τｇ（λ１）、τｇ（λｎ）に関連し、これらの群時間は群時間の差がδτｇ＝τｇ（λｎ）−τｇ（λ１）であることを特徴とし、
前記光再生装置は、前記送信器と前記光変調器との間、または連続する二つの変調器の間の距離ＺＲに配置され、
前記ＷＤＭシステムが、それぞれの波長λ１、λ２、・・・、λｎを有するｎ個のチャネル（ｃ１、・・・、ｃｎ）の中から選択された複数ｍのＷＤＭチャネルを使用し、ここで、λｊ−λｊ−１＝Δλ、ｊ＞０、ｊは整数、さらに
【数２】
1997214469.tif 000002
かつΔλ＝ｘ（λ１−λ０）
であり、ただしλ０は分散ゼロの波長であり、
【数３】
1997214469.tif 000003
Ｎ＝ｘｙ２（ｘ＋２）／２かつＭ＝ｘ２ｙ２で、ＮとＭは非ゼロの整数、かつ２Ｎ＞Ｍ＞１であることを特徴とする前記信号の光伝送システム。
【請求項８】
Ｎ＝Ｍ＝１、ｘ＝２、ｙ＝１／２であり、かつ
【数４】
1997214469.tif 000004
であり、ただし、Ｄ’０≠０の場合はλ０は分散ゼロの波長であり、Ｄ’＝０（Ｄ＝一定）の場合はΔλ＝Ｔｂｉｔ／ＺＲＤであることを特徴とする請求項７に記載のシステム。
【請求項９】
前記ｑ個のファイバ部分区画を含み、各部分区画は一部分は色分散の長さと値によって特徴づけられ、そして本発明による方法がさらに前記ファイバ部分区画の分散管理を含むことを特徴とする請求項４から８のいずれか一項に記載のシステム。
【請求項１０】
ｑが無限に向かい、各部分区域の長さが無限小に向かい、色収差が連続的に変化し、有効分散が積分によって計算されることを特徴とする請求項９に記載のシステム。
【請求項１１】
有効分散勾配がゼロ、Ｄ’０，ｅｆｆ＝０であり、Δλ＝Ｔｂｉｔ／ＺＲＤであることを特徴とする請求項１から１０のいずれか一項に記載のシステム。
【請求項１２】
分散勾配が有効にゼロ、Ｄ’＝０であり、Δλ＝Ｔｂｉｔ／ＺＲＤであることを特徴とする請求項１１に記載のシステム。
【請求項１３】
光カプラを介して伝送チャネル上でソリトン信号のビットレートに同期されるクロック再生回路ＲＨ、位相同調手段Φ、例えば光遅延線、及びクロック信号ＲＦによって案内される強度及び／または位相の変調器を含むソリトン再生装置であり、
同じ時間的位置に複数の波長のソリトンパルスを戻すのに役立つ、溝付きガイド光フィルタをさらに含むことを特徴とするソリトン再生装置。